【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
撮像画面内に複数の焦点検出領域を設定し、各々の前記焦点検出領域の焦点検出を行う焦点検出手段と、
前記焦点検出の結果に基づいて、前記複数の焦点検出領域のうちから、第１の領域と第２の領域とを選択する選択手段と、
前記第１の領域に合焦する第１の焦点位置において撮像光学系で形成される第１の光学像を撮像して第１の画像データを生成し、前記第２の領域に合焦する第２の焦点位置において前記撮像光学系で形成される第２の光学像を撮像して第２の画像データを生成する撮像手段と、
前記第１の画像データと前記第２の画像データとに基づいて、処理すべき領域を判別する判別手段と、
前記判別手段による前記処理すべき領域の判別の結果に基づいて、少なくとも前記第１の画像データに所定の処理を行う処理手段とを備え、
前記選択手段は、前記第１の領域に対して所定の深度差の範囲内の前記焦点検出領域のうち、前記焦点検出の結果が所定の条件を満たす前記焦点検出領域の数に基づいて前記第２の領域を選択することを特徴とする撮像装置。
【請求項２】
前記第１の領域は、主被写体領域の候補となる領域であり、
前記第２の領域は、背景領域の候補となる領域であることを特徴とする請求項１に記載の撮像装置。
【請求項３】
前記撮像手段による被写体の撮像を行うための第１の指示及び第２の指示を受ける指示手段を更に有し、
前記焦点検出手段は、前記第１の指示に応じて、前記焦点検出を行い、
前記撮像手段は、前記第２の指示に応じて、前記第１の画像データと前記第２の画像データとを生成することを特徴とする請求項１又は２に記載の撮像装置。
【請求項４】
前記選択手段は、前記所定の深度差の範囲内の前記焦点検出領域のうち、前記所定の深度差の範囲内の無限遠側にピントの合う前記焦点検出領域に対して第１の所定深度の範囲内にある前記焦点検出領域の数が第１の所定数より大きくかつ最大である場合、前記無限遠側にピントの合う前記焦点検出領域を前記第２の領域の第１の候補として選択し、前記第１の候補が選択されない場合は、前記所定の深度差の範囲内の前記焦点検出領域のうち、前記無限遠側にピントの合う前記焦点検出領域に対して、前記焦点検出の結果が第２の所定深度の範囲内にあり、かつ隣接する領域が第２の所定数以上ある場合、前記無限遠側にピントの合う前記焦点検出領域を前記第２の領域の第２の候補として選択することを特徴とする請求項１に記載の撮像装置。
【請求項５】
前記第１の所定数は、前記第２の所定数よりも大きいことを特徴とする請求項４に記載の撮像装置。
【請求項６】
被写体を検出する被写体検出手段を更に有し、
前記選択手段は、前記検出された被写体に対応する前記焦点検出領域の前記焦点検出の結果との深度差が、第３の所定深度の範囲内にある前記焦点検出領域を前記第１の領域として設定することを特徴とする請求項１乃至５のいずれか１項に記載の撮像装置。
【請求項７】
被写体を検出する被写体検出手段を更に有し、
前記選択手段は、前記複数の焦点検出領域のうち、前記検出された被写体と重なり、第４の所定深度の範囲内で隣接する前記焦点検出領域を前記第１の領域として設定することを特徴とする請求項１乃至５のいずれか１項に記載の撮像装置。
【請求項８】
前記選択手段は、前記複数の焦点検出領域のうち、撮像画面の中央付近に位置する至近側の前記焦点検出領域に対して、第５の所定深度の範囲内で、隣接する前記焦点検出領域を、前記第１の領域として設定することを特徴とする請求項１乃至５のいずれか１項に記載の撮像装置。
【請求項９】
前記判別手段は、前記第１の画像データ及び前記第２の画像データにおけるエッジ情報に基づいて前記処理すべき領域を判別し、
前記処理手段は、前記判別手段によって判別された前記処理すべき領域に対し、前記所定の処理としてぼかし処理を行うことを特徴とする請求項１乃至８のいずれか１項に記載の撮像装置。
【請求項１０】
前記複数の焦点検出領域において、前記第１の領域として設定された前記焦点検出領域に対して前記所定の深度差の範囲内の前記焦点検出領域がない場合は、前記処理手段は、前記所定の処理を行わないことを特徴とする請求項１乃至９のいずれか１項に記載の撮像装置。
【請求項１１】
撮像画面内に複数の焦点検出領域を設定し、各々の前記焦点検出領域の焦点検出を行うステップと、
前記焦点検出の結果に基づいて、前記複数の焦点検出領域のうちから、第１の領域と第２の領域とを選択するステップと、
前記第１の領域に合焦する第１の焦点位置において撮像光学系で形成される第１の光学像を撮像して第１の画像データを生成し、前記第２の領域に合焦する第２の焦点位置において前記撮像光学系で形成される第２の光学像を撮像して第２の画像データを生成するステップと、
前記第１の画像データと前記第２の画像データとに基づいて、処理すべき領域を判別するステップと、
前記処理すべき領域の判別の結果に基づいて、少なくとも前記第１の画像データに所定の処理を行うステップとを備え、
前記第１の領域と前記第２の領域とを選択するステップでは、前記第１の領域に対して所定の深度差の範囲内の前記焦点検出領域のうち、焦点検出結果が所定の条件を満たす前記焦点検出領域の数に基づいて前記第２の領域を選択する
ことを特徴とする撮像装置の制御方法。
【請求項１２】
コンピュータに、
撮像画面内に複数の焦点検出領域を設定し、各々の前記焦点検出領域の焦点検出を行うステップと、
前記焦点検出の結果に基づいて、前記複数の焦点検出領域のうちから、第１の領域と第２の領域とを選択するステップと、
前記第１の領域に合焦する第１の焦点位置において撮像光学系で形成される第１の光学像を撮像して第１の画像データを生成し、前記第２の領域に合焦する第２の焦点位置において前記撮像光学系で形成される第２の光学像を撮像して第２の画像データを生成するステップと、
前記第１の画像データと前記第２の画像データとに基づいて、処理すべき領域を判別するステップと、
前記処理すべき領域の判別の結果に基づいて、少なくとも前記第１の画像データに所定の処理を行うステップとを実行させるためのプログラムであって、
前記第１の領域と前記第２の領域とを選択するステップでは、前記第１の領域に対して所定の深度差の範囲内の前記焦点検出領域のうち、焦点検出結果が所定の条件を満たす前記焦点検出領域の数に基づいて前記第２の領域を選択する
ことを特徴とするプログラム。
【手続補正２】
【補正対象書類名】明細書
【補正対象項目名】０００７
【補正方法】変更
【補正の内容】
【０００７】
実施形態の一観点によれば、撮像画面内に複数の焦点検出領域を設定し、各々の前記焦点検出領域の焦点検出を行う焦点検出手段と、前記焦点検出の結果に基づいて、前記複数の焦点検出領域のうちから、第１の領域と第２の領域とを選択する選択手段と、前記第１の領域に合焦する第１の焦点位置において撮像光学系で形成される第１の光学像を撮像して第１の画像データを生成し、前記第２の領域に合焦する第２の焦点位置において前記撮像光学系で形成される第２の光学像を撮像して第２の画像データを生成する撮像手段と、前記第１の画像データと前記第２の画像データとに基づいて、処理すべき領域を判別する判別手段と、前記判別手段による前記処理すべき領域の判別の結果に基づいて、少なくとも前記第１の画像データに所定の処理を行う処理手段とを備え、前記選択手段は、前記第１の領域に対して所定の深度差の範囲内の前記焦点検出領域のうち、前記焦点検出の結果が所定の条件を満たす前記焦点検出領域の数に基づいて前記第２の領域を選択することを特徴とする撮像装置が提供される。